(57)【要約】【課題】内部構造部品の姿勢の安定性と対衝撃強度とを確保したうえで省スペース化を可能にし、これにより小型化を図ったレンズ鏡筒および光学機器を提供する。【解決手段】レンズをその光軸方向に移動可能に保持するレンズ鏡筒２である。光軸回りに回動可能に設けられた円筒状のカム枠４、６と、カム枠４、６の回動に連動して光軸に沿って進退する円筒状の移動枠と、を備える。移動枠は、光軸を囲む周壁を有する円筒状の第１の枠８および第１の枠８に外挿する第２の枠７を有する。第１の枠８は、その周壁に長さ方向全体が切り欠かれてなる切欠部が形成されたことで周壁が側面視Ｃ状に形成されていると共に、切欠部の両側に第１係止部２４を有して形成されている。第２の枠７は、第１係止部２４に係止する第２係止部２０を有して形成されている。【選択図】図２
2016200791.tif 000002
【特許請求の範囲】
【請求項１】
レンズをその光軸方向に移動可能に保持するレンズ鏡筒であって、
前記光軸回りに回動可能に設けられた円筒状のカム枠と、
前記カム枠の回動に連動して前記光軸に沿って進退する円筒状の移動枠と、を備え、
前記移動枠は、前記光軸を囲む周壁を有する円筒状の第１の枠および該第１の枠に外挿する第２の枠を有し、
前記第１の枠は、その周壁に長さ方向全体が切り欠かれてなる切欠部を有して、該周壁が側面視Ｃ状に形成されていると共に、前記切欠部の両側に第１係止部を有し、
前記第２の枠は、前記第１係止部に係止する第２係止部を有するレンズ鏡筒。
【請求項２】
レンズをその光軸方向に移動可能に保持するレンズ鏡筒であって、
前記光軸を囲む周壁を有する円筒状の固定枠と、
前記光軸回りに回動可能に設けられた円筒状のカム枠と、
前記光軸を囲む周壁を有し、前記カム枠の回動に連動して前記光軸に沿って進退する円筒状の移動枠と、を備え、
前記移動枠は、その周壁に長さ方向全体が切り欠かれてなる切欠部を有して、該周壁が側面視Ｃ状に形成されていると共に、前記切欠部の両側に第１係止部を有し、
前記固定枠は、前記第１係止部に係止する第２係止部を有するレンズ鏡筒。
【請求項３】
レンズをその光軸方向に移動可能に保持するレンズ鏡筒であって、
前記光軸回りに回動可能に設けられた円筒状のカム枠と、
前記カム枠の回動に連動して前記光軸に沿って進退する円筒状の移動枠と、を備え、
前記移動枠は、前記光軸を囲む周壁を有する円筒状の第１の枠および第２の枠と、前記第１の枠と前記第２の枠との間に一対の支軸を介して保持される第３の枠とを有し、
前記第１の枠は、その周壁に長さ方向全体が切り欠かれてなる切欠部を有して、該周壁が側面視Ｃ状に形成されていると共に、前記切欠部の両側に第１係止部を有し、
前記第２の枠は、前記一対の支軸が挿入される一対の軸孔を有し、
前記第３の枠は、前記第１係止部に係止する第２係止部と、前記一対の支軸が係合される一対の係合部とを有するレンズ鏡筒。
【請求項４】
前記第３の枠は、前記切欠部の内側に配置される第１枠片を有し、
前記一対の係合部のうち一方の係合部は、前記第１枠片に配置されている請求項３に記載のレンズ鏡筒。
【請求項５】
前記第２の枠は、前記第１枠片の外周面に重ね合わされた状態で、前記切欠部の内側に配置される第２枠片を有し、
前記一方の係合部は、前記第１枠片の外周面に形成された溝部であり、
前記支軸は、前記溝部と前記第２枠片との間に係合されている請求項４に記載のレンズ鏡筒。
【請求項６】
請求項１〜５の何れか一項に記載のレンズ鏡筒を備えた光学機器。
【発明の詳細な説明】
【技術分野】
【０００１】
本発明は、レンズ鏡筒および光学機器に関する。
【背景技術】
【０００２】
近年、カメラなどの光学機器では、小型化されたものの需要が増加している。特に、交換レンズシステムカメラは撮像素子が小さいため、システムとして小型化されたカメラが提供されている。また、これに影響されて従来のシステムカメラも、より小型な製品が提供されている。
【０００３】
このようなカメラ等の光学機器として、使用者が焦点距離を自由に変化させることができる、いわゆるズームレンズがある。ズームレンズは、その内部にレンズ群を移動させる機構、通常はレンズ鏡筒内に配置された移動群を保持、移動させる機構を有している。このような機構として具体的には、カム溝を有するカム枠と、直進ガイド溝を有する固定枠と、前記カム溝と直進ガイド溝の両方に係合する駆動ピンを有する移動枠とを備えたレンズ鏡筒（ズームレンズ鏡筒、ズーム鏡胴）が知られている（例えば、特許文献１、特許文献２、特許文献３参照）。
【先行技術文献】
【特許文献】
【０００４】
【特許文献１】特開２００３−９０９４７号公報
【特許文献２】特開２００３−２７９８２７号公報
【特許文献３】特開２００６−１０６２４１号公報
【発明の概要】
【発明が解決しようとする課題】
【０００５】
ところで、前記のレンズ鏡筒にあっては、固定枠に形成された直進ガイド溝とカム枠に形成されたカム溝とが交差して配置され、これら交差する直進ガイド溝とカム溝との両方に移動枠の駆動ピンが係合するため、駆動ピンの強度を充分に確保する必要上、駆動ピンをある程度の大きさにする必要がある。したがって、このような駆動ピンに係合するため、直進ガイド溝やカム溝もその幅を駆動ピンの大型化に合わせて広くする必要があり、固定枠やカム枠の周壁にはその分のスペースが必要となる。
【０００６】
また、固定枠等の直進ガイド溝を形成する部材は、直進ガイド溝の変形を防止するためや、例えば落下時の対衝撃強度を確保するため円筒全周が繋がっていることが望ましい。すなわち、仮に側壁の一部に長さ方向全域で切り欠かれてなる切欠形状が形成されると、必要とする強度が得られにくくなる。
【０００７】
しかしながら、このような直進ガイド溝を形成する部材以外の他の内部構造部品、例えば移動群を、固定枠等の円筒の内側に収める必要があるため、これがレンズ鏡筒の小型化を損なう一因になっている。
【０００８】
本発明は前記事情に鑑みてなされたもので、その目的とするところは、内部に配置される移動群等の内部構造部品の姿勢の安定性と対衝撃強度とを確保したうえで省スペース化を可能にし、これにより小型化を図ったレンズ鏡筒および光学機器を提供することにある。
【課題を解決するための手段】
【０００９】
本発明のレンズ鏡筒は、レンズをその光軸方向に移動可能に保持するレンズ鏡筒であって、前記光軸回りに回動可能に設けられた円筒状のカム枠と、前記カム枠の回動に連動して前記光軸に沿って進退する円筒状の移動枠と、を備え、前記移動枠は、前記光軸を囲む周壁を有する円筒状の第１の枠および該第１の枠に外挿する第２の枠を有し、前記第１の枠は、その周壁に長さ方向全体が切り欠かれてなる切欠部を有して、該周壁が側面視Ｃ状に形成されていると共に、前記切欠部の両側に第１係止部を有し、前記第２の枠は、前記第１係止部に係止する第２係止部を有する。
【００１０】
このレンズ鏡筒によれば、移動枠を構成する第１の枠の周壁に、長さ方向全体が切り欠かれてなる切欠部を有して第１の枠の周壁を側面視Ｃ状に形成しているので、切欠部に移動群等の内部構造部品を収容配置することが可能となり、したがって例えば第１の枠の周壁の厚さに相当する分、全体の径を小さくすることができる。また、第１の枠は切欠部の両側に第１係止部を有し、第２の枠は第１係止部に係止する第２係止部を有しているので、これら第１係止部と第２係止部との係止によって切欠部が開いてしまうことが防止され、したがって切欠部に配置される内部構造部品の姿勢の安定性や対衝撃強度を確保することができる。
【００１１】
また、本発明の別のレンズ鏡筒は、レンズをその光軸方向に移動可能に保持するレンズ鏡筒であって、前記光軸を囲む周壁を有する円筒状の固定枠と、前記光軸回りに回動可能に設けられた円筒状のカム枠と、前記光軸を囲む周壁を有し、前記カム枠の回動に連動して前記光軸に沿って進退する円筒状の移動枠と、を備え、前記移動枠は、その周壁に長さ方向全体が切り欠かれてなる切欠部を有して、該周壁が側面視Ｃ状に形成されていると共に、前記切欠部の両側に第１係止部を有し、前記固定枠は、前記第１係止部に係止する第２係止部を有する。
【００１２】
このレンズ鏡筒によれば、移動枠の周壁に、長さ方向全体が切り欠かれてなる切欠部を有して移動枠の周壁を側面視Ｃ状に形成しているので、切欠部に移動群等の内部構造部品を収容配置することが可能となり、したがって例えば移動枠の周壁の厚さに相当する分、全体の径を小さくすることができる。また、移動枠は切欠部の両側に第１係止部を有し、固定枠は第１係止部に係止する第２係止部を有しているので、これら第１係止部と第２係止部との係止によって切欠部が開いてしまうことが防止され、したがって切欠部に配置される内部構造部品の姿勢の安定性や対衝撃強度を確保することができる。
【００１３】
また、本発明の別のレンズ鏡筒は、レンズをその光軸方向に移動可能に保持するレンズ鏡筒であって、前記光軸回りに回動可能に設けられた円筒状のカム枠と、前記カム枠の回動に連動して前記光軸に沿って進退する円筒状の移動枠と、を備え、前記移動枠は、前記光軸を囲む周壁を有する円筒状の第１の枠および第２の枠と、前記第１の枠と前記第２の枠との間に一対の支軸を介して保持される第３の枠とを有し、前記第１の枠は、その周壁に長さ方向全体が切り欠かれてなる切欠部を有して、該周壁が側面視Ｃ状に形成されていると共に、前記切欠部の両側に第１係止部を有し、前記第２の枠は、前記一対の支軸が挿入される一対の軸孔を有し、前記第３の枠は、前記第１係止部に係止する第２係止部と、前記一対の支軸が係合される一対の係合部とを有する。
【００１４】
このレンズ鏡筒によれば、移動枠を構成する第１の枠の周壁に、長さ方向全体が切り欠かれてなる切欠部を有して第１の枠の周壁を側面視Ｃ状に形成しているので、切欠部の内側に収容スペースを確保することができ、したがって例えば第１の枠の周壁の厚さに相当する分、全体の径を小さくすることができる。また、第１の枠は切欠部の両側に第１係止部を有し、第３の枠は第１係止部に係止する第２係止部を有しているので、これら第１係止部と第２係止部との係止によって切欠部が開いてしまうことが防止され、したがって切欠部に配置される内部構造部品の姿勢の安定性や対衝撃強度を確保することができる。
【００１５】
また、前記レンズ鏡筒において、前記第３の枠は、前記切欠部の内側に配置される第１枠片を有し、前記一対の係合部のうち一方の係合部は、前記第１枠片に配置されている構成とすることが好ましい。
【００１６】
この構成によれば、切欠部の内側に一方の係合部を配置することができ、全体の径が大きくなることを防ぐことができる。
【００１７】
また、前記レンズ鏡筒において、前記第２の枠は、前記第１枠片の外周面に重ね合わされた状態で、前記切欠部の内側に配置される第２枠片を有し、前記一方の係合部は、前記第１枠片の外周面に形成された溝部であり、前記支軸は、前記溝部と前記第２枠片との間に係合されている構成とすることが好ましい。
【００１８】
この構成によれば、第１枠片に支軸を支持する軸孔を設けなくても、第１枠片の外周面に形成された溝部と前記第２枠片との間に係合された支軸を安定した状態で支持することができる。また、全体の径が大きくなることを防ぐことができる。
【００１９】
本発明の光学機器は、前記何れかのレンズ鏡筒を備えている。
この光学機器によれば、移動枠やその第１の枠の周壁に切欠部を有しているので、内部構造部品の収容スペースを実質的に広くすることが可能になる。また、第１係止部と第２係止部との係止によって切欠部が開いてしまうことを防止しているので、切欠部に配置される内部構造部品の姿勢の安定性や対衝撃強度を確保することができる。
【発明の効果】
【００２０】
本発明のレンズ鏡筒および光学機器によれば、内部構造部品の収容スペースを実質的に広くして省スペース化を可能にしたので、全体の小型化を図ることができる。また、第１係止部と第２係止部との係止によって切欠部が開いてしまうことを防止しているので、切欠部に配置される内部構造部品の姿勢の安定性や対衝撃強度を確保することができ、したがって内部構造部品等の変形や破損を防止することができる。
【図面の簡単な説明】
【００２１】
【図１】本発明の第１の実施形態としての交換レンズ（光学機器）の内部構造を示す側断面図である。
【図２】図１のＡ−Ａ線矢視断面図である。
【図３】レンズ鏡筒の要部分解斜視図である。
【図４】レンズ鏡筒の要部を模式的に示す図である。
【図５】第４レンズ群移動枠（第２の枠）の内部構造を示す斜視図である。
【図６】本発明の第２の実施形態としてのレンズ鏡筒の要部分解斜視図である。
【図７】固定枠の内部構造を示す斜視図である。
【図８】本発明の第３の実施形態としてのレンズ鏡筒が備える第５レンズ群移動枠を示す斜視図である。
【図９】図８に示す移動枠の分解斜視図である。
【図１０】図８に示す移動枠の断面図である。
【図１１】第１係止部と第２係止部との係止状態を示す斜視図である。
【図１２】図１０に示す移動枠の要部を拡大した断面図である。
【発明を実施するための形態】
【００２２】
以下、本発明に係るレンズ鏡筒および光学機器について、図面を参照して詳細に説明する。
本発明に係る光学機器としては、交換レンズシステムカメラ、デジタルスチルカメラ、ビデオカメラ、監視カメラ等の、固体撮像素子を用いた撮像装置やこれに用いられる交換レンズ等が挙げられ、本発明に係るレンズ鏡筒は、前記撮像装置に用いられる交換レンズを構成するものである。
【００２３】
（第１の実施形態）
図１は、本発明の第１の実施形態としての交換レンズ（光学機器）の内部構造を示す側断面図であり、図２は、図１のＡ−Ａ線矢視断面図である。これらの図において符号１は交換レンズ、符号Ｃは光軸である。この交換レンズ１は、図１に示すように複数のレンズ群Ｇ１〜Ｇ６が光軸Ｃ方向に並んで配置されたレンズ鏡筒２を備えており、このレンズ鏡筒２内に配置された複数のレンズ群Ｇ１〜Ｇ６によって、インナーフォーカス式のズームレンズが構成されている。
【００２４】
このズームレンズは、物体側（交換レンズ１の正面側）から順に、第１レンズ群Ｇ１、第２レンズ群Ｇ２、第３レンズ群Ｇ３、第４レンズ群Ｇ４、第５レンズ群Ｇ５、第６レンズ群Ｇ６の６群のレンズ構成を有している。これらレンズ群Ｇ１〜Ｇ６は、それぞれ単一、あるいは複数のレンズによって構成されている。
【００２５】
そして、このズームレンズでは、第１レンズ群Ｇ１および第３レンズ群Ｇ３〜第６レンズ群Ｇ６をそれぞれ光軸Ｃ方向に移動させることによって変倍（ズーミング）を行い、第３レンズ群Ｇ３を光軸Ｃ方向に移動させことによって合焦（フォーカシング）を行う。第２レンズ群Ｇ２は、移動することなく固定された固定群となっている。なお、ズームレンズの構成については、前述したレンズ構成に限らず、そのレンズの枚数や組み合わせなどを適宜変更して実施することができる。
【００２６】
レンズ鏡筒２は、このようなズームレンズのうち、特に第４レンズ群Ｇ４、第５レンズ群Ｇ５を移動させるため、図１、図２に示すように操作リング３に連動して光軸Ｃ回りに回動可能に設けられた円筒状の第１カム枠４と、第１カム枠４内に配置された円筒状の固定枠５と、固定枠５内に配置された円筒状の第２カム枠６と、第２カム枠６内に配置された円筒状の第４レンズ群移動枠（第２の枠）７と、第４レンズ群移動枠７内に配置された第１の枠８及びレンズ枠９からなる第５レンズ群移動枠１０と、を備えている。なお、第１カム枠４と第２カム枠６とによって本発明に係るカム枠が形成されており、第４レンズ群移動枠（第２の枠）７と第１の枠８とによって本発明に係る移動枠が形成されている。
【００２７】
第１カム枠４には、その背面側（後面側）の外周面上に略円筒状の操作リング３が正逆方向に回動可能に外挿している。この操作リング３を含む操作部（図示せず）の回動操作に連動して、第１カム枠４は操作リング３の回動方向に回動する。また、第１カム枠４には、レンズ鏡筒２の要部分解斜視図である図３に示すようにその周壁に、光軸Ｃ方向に延在するカム枠直進ガイド溝１１が３つ形成されている。これらカム枠直進ガイド溝１１は、円筒状の周壁を光軸Ｃ回りの周方向に略３等分する角度位置にそれぞれ配設されている。ここで、本発明において略３等分する角度位置とは、３６０°を３等分する１２０°に対して、例えば±１０°ずれた位置までを許容する範囲とする。また、第１カム枠４の周壁には、操作リング３を含む操作部側に連結する連結ピン１２が３つ形成されており、さらに複数のカム溝が形成されている。
【００２８】
固定枠５は、レンズ鏡筒２において移動不能、すなわち直進不能かつ回動不能に固定されており、その外周面上に第１カム枠４を回動可能に外挿している。この固定枠５は、レンズ鏡筒２の要部を模式的に示す図４に示すように、第１カム枠４に対してバヨネットＢ１で連結されており、これによって第１カム枠４は、固定された固定枠５に対して光軸Ｃ方向に直進不能で、かつ光軸Ｃ回りに回動可能に構成されている。
【００２９】
固定枠５には、図３に示すようにその周壁に光軸Ｃ方向に延在する固定枠直進ガイド溝が３種類形成されており、各々が、円筒状の周壁を光軸Ｃ回りの周方向に略３等分する角度位置にそれぞれ３つずつ配設されている。これら３種の固定枠直進ガイド溝のうち、符号１３で示す３つの固定枠直進ガイド溝が、後述するように第４レンズ群移動枠７の第２ピン１４に係合する。また、固定枠５の周壁には、固定枠直進ガイド溝とは別に光軸Ｃ回りに延在する固定枠カム溝１５が３つ形成されている。固定枠カム溝１５も、円筒状の周壁を光軸Ｃ回りの周方向に略３等分する角度位置にそれぞれ配設されている。
【００３０】
また、固定枠５内には、第２カム枠６が光軸Ｃ方向に直進可能、かつ光軸Ｃ回りに回動可能に配設されている。すなわち、第２カム枠６は、固定枠５に対して螺旋状に移動するように構成されている。第２カム枠６には、その周壁に光軸Ｃ回りに延在するカム枠カム溝が２種類形成されており、各々が、円筒状の周壁を光軸Ｃ回りの周方向に略３等分する角度位置にそれぞれ３つずつ配設されている。これら２種のカム枠カム溝のうち、符号１６で示す３つのカム枠カム溝が、後述するように第１の枠８の第１ピン１７に係合する。また、第２カム枠６の周壁には、光軸Ｃ回りの周方向に略３等分する角度位置に３つの第３ピン１８が形成されている。
【００３１】
これら第３ピン１８は、図４に示すように第１カム枠４のカム枠直進ガイド溝１１と、固定枠５の固定枠カム溝１５との両方に移動可能に係合している。したがって、第３ピン１８は互いに交差して配置されたカム枠直進ガイド溝１１と固定枠カム溝１５との両方に係合するため、充分な強度を有するべく、所定の大きさに形成されている。なお、本実施形態では第１ピン１７や第２ピン１４も、第３ピン１８と同様に充分な強度となる大きさに形成されている。
【００３２】
図１、図２に示すように第２カム枠６内には、第４レンズ群移動枠７が光軸Ｃ方向に直進可能に配設されている。第４レンズ群移動枠７には、図１に示すように交換レンズ１の正面側に円環部７ａが形成されており、この円環部７ａの内周部に円筒状の内筒部７ｂが形成されている。そして、この内筒部７ｂ内に複数のレンズからなる第４レンズ群Ｇ４が保持されている。したがって、第４レンズ群移動枠７が光軸Ｃ方向に直進（進退）することにより、第４レンズ群Ｇ４も光軸Ｃ方向に直進（進退）するようになっている。
【００３３】
この第４レンズ群移動枠７には、図３に示すようにその円環部７ａに、周壁の外周面より外側に突出して前記の第２ピン１４が３つ、光軸Ｃ回りの周方向に略３等分する角度位置にそれぞれ配設されている。これら第２ピン１４は、図４に示すように固定枠５の固定枠直進ガイド溝１３に移動可能に係合しており、したがって固定枠５に対して直進可能、かつ回動不能に連結している。また、図３に示すように第４レンズ群移動枠７には、その周壁に光軸Ｃ方向に延在する３つの移動枠直進ガイド溝１９が形成されている。
【００３４】
また、第４レンズ群移動枠７は、図４に示すように第２カム枠６に対してバヨネットＢ２で連結されており、これによって第４レンズ群移動枠７は、第２カム枠６に対して光軸Ｃ方向に直進不能で、かつ光軸Ｃ回りに回動可能に構成されている。また、この第４レンズ群移動枠７には、図５に示すように円環部７ａの内面と周壁の内面との間に、一対の係止凸条（第２係止部）２０が光軸Ｃ方向に沿って形成されている。これら係止凸条２０は、後述する第１の枠８の係止溝（第１係止部）２４に係止するように配設されている。
【００３５】
第４レンズ群移動枠７内には、図１、図２に示すように円筒状の第１の枠８及び円筒状のレンズ枠９からなる第５レンズ群移動枠１０が配置されている。第１の枠８は、図３に示すようにその周壁に光軸Ｃ方向に沿って長さ方向全体が切り欠かれてなる切欠部２１が形成されたことで、該周壁が側面視Ｃ状に形成されている。この切欠部２１は、周壁の長さ方向全体が切り欠かれていることで、その内部に移動群等の内部構造部品を収容配置することが可能となっている。
【００３６】
なお、切欠部２１内に収容配置する内部構造部品の、光軸Ｃ方向における存在範囲が短い場合などでは、この存在範囲外において、すなわち収容配置する内部構造部品に干渉しない位置において、切欠部２１の両側が連結部によって連結されていてもよい。例えば、周壁の長さ方向の一方の側において、充分に薄い（光軸Ｃ方向の長さが短い）連結部が切欠部２１の両側間を連結することにより、第１の枠８の周壁が長さ方向全体に切り欠かれることなく、一部が繋がった状態で切欠部２１が形成されていてもよい。
【００３７】
また、第１の枠８には、その周壁に前記の第１ピン１７が３つ、光軸Ｃ回りの周方向に略３等分する角度位置にそれぞれ配設されている。これら第１ピン１７は、図４に示すように第４レンズ群移動枠７の移動枠直進ガイド溝１９と、第２カム枠６のカム枠カム溝１６との両方に移動可能に係合している。なお、第１の枠８には、第１ピン１７の近傍に、それぞれ連結ピン２２が配設されている。これら連結ピン２２は、レンズ枠９の連結孔２３にそれぞれ挿通する。
【００３８】
また、第１の枠８には、切欠部２１の両側にそれぞれ係止溝（第１係止部）２４が、光軸Ｃ方向に沿って形成されている。これら一対の係止溝２４は、それぞれ、図２に示すように前述した第４レンズ群移動枠７の一対の係止凸条２０に係止する。このように切欠部２１の両側の係止溝２４にそれぞれ係止凸条２０が係止することにより、切欠部２１が不測の力によって開いてしまうことが防止される。すなわち、交換レンズ１を不測に落下して衝撃が加わった際などにも、係止溝２４にそれぞれ係止凸条２０が係止していることにより、切欠部２１が開いてしまうことがなく、したがって各種ピンと溝との係合が外れてしまうといった不都合が防止される。
【００３９】
レンズ枠９は、図１に示すように第１の枠８に対してその背面側（後面側）に配置されたもので、図３に示す周壁に形成された連結孔２３に第１の枠８の連結ピン２２が挿通されることにより、第１の枠８と一体化されている。このレンズ枠９内には、複数のレンズからなる第５レンズ群Ｇ５が保持されている。このような構成のもとに、第１の枠８とレンズ枠９とによって第５レンズ群移動枠１０が形成されている。したがって、第５レンズ群移動枠１０が光軸Ｃ方向に直進（進退）することにより、第５レンズ群Ｇ５も光軸Ｃ方向に直進（進退）するようになっている。
【００４０】
また、レンズ枠９には、図２、図３に示すようにその周壁に手振れ補正ユニット２５が取り付けられている。手振れ補正ユニット２５は、移動群の一部を構成する内部構造部品であり、レンズ枠９の外周面より外側に出っ張って設けられている。したがって、この手振れ補正ユニット２５は第１の枠８に干渉しないように、第１の枠８の切欠部２１内に収容配置されている。
【００４１】
手振れ補正ユニット２５がレンズ枠９の外周面より外側に出っ張っているため、従来であればこのレンズ枠９に外挿する枠体は、手振れ補正ユニット２５に干渉しないようにレンズ枠９より充分に大きい内径を有している必要がある。しかし、本実施形態では、レンズ枠９に外挿する第１の枠８に切欠部２１を形成しているので、この切欠部２１内に手振れ補正ユニット２５を収容配置することにより、第１の枠８の内径をレンズ枠９の外径より充分に大きくする必要がなくなる。すなわち、第１の枠８の内径をレンズ枠９の外径にほぼ等しくすることができる。したがって、第１の枠８を必要最小限の大きさ、つまり小径に形成することができる。
【００４２】
以上のような構造を有するレンズ鏡筒２では、操作リング３の回動動作によって各レンズ群Ｇ１、Ｇ３〜Ｇ６をその光軸Ｃ方向に進退（移動）させることができる。すなわち、操作リング３を一方又は他方に回動させると、電気信号がカメラボディ（図示せず）に送られ、その操作量を基に ズームモータユニット（図示せず）が駆動し、第１カム枠４が回転する。
【００４３】
その際、第４レンズ群Ｇ４、第５レンズ群Ｇ５を移動させる機構部では、操作リング３の回動によって第１カム枠４が回動する。すると、図４に示すように第１カム枠４はバヨネットＢ１によって固定枠５に直進不能、かつ回動可能に構成されており、また、第１カム枠４のカム枠直進ガイド溝１１に係合する第３ピン１８が固定枠５の固定枠カム溝１５にも係合しているので、第３ピン１８を有する第２カム枠６は固定枠５に対して回動しつつ直進する。すなわち、螺旋状に移動する。
【００４４】
このようにして第２カム枠６が螺旋状に移動すると、この第２カム枠６にバヨネットＢ２で連結する第４レンズ群移動枠７は、その第２ピン１４が固定枠５の固定枠直進ガイド溝１３に係合してその回動が規制されているため、固定枠５に対して直進する。これにより、第４レンズ群移動枠７に設けられた第４レンズ群Ｇ４が直進移動する。
【００４５】
また、第２カム枠６が螺旋状に移動すると、この第２カム枠６のカム枠カム溝１６に係合する第１ピン１７を有する第１の枠８（第５レンズ群移動枠１０）は、その第１ピン１７が第４レンズ群移動枠７の移動枠直進ガイド溝１９に係合してその回動が規制されているため、固定枠５に対して直進する。これにより、第５レンズ群移動枠１０のレンズ枠９に設けられた第５レンズ群Ｇ５も直進移動する。
したがって、このレンズ鏡筒２を備える交換レンズ１では、操作リング３を操作して第１カム枠４を回動操作することにより、ズーミングを行うことができる。
【００４６】
本実施形態のレンズ鏡筒２にあっては、移動枠を構成する第１の枠８の周壁に、長さ方向全体が切り欠かれてなる切欠部２１を形成して第１の枠８の周壁を側面視Ｃ状に形成しているので、切欠部２１に内部構造部品である手振れ補正ユニット２５を収容配置することができ、したがって第１の枠８の周壁の厚さに相当する分、全体の径を小さくすることができる。よって、このレンズ鏡筒２によれば、内部構造部品の収容スペースを実質的に広くして省スペース化を可能にしたので、全体の小型化を図ることができる。
【００４７】
また、第１の枠８が切欠部２１の両側に係止溝２４を有し、第４レンズ群移動枠（第２の枠）７が係止溝２４に係止する係止凸条２０を有しているので、これら係止溝２４と係止凸条２０との係止によって切欠部２１が開いてしまうことを防止することができる。したがって、切欠部２１に配置される手振れ補正ユニット２５の姿勢の安定性や、不測に落下させた際などの対衝撃強度を確保することができ、手振れ補正ユニット２５の変形や破損を防止することができると共に、各種ピンと溝との係合が外れてしまうといった不都合も防止することができる。
【００４８】
また、このようなレンズ鏡筒２を備えた交換レンズ（光学機器）１にあっても、手振れ補正ユニット２５（内部構造部品）の収容スペースを実質的に広くして省スペース化を可能にしたので、全体の小型化を図ることができる。また、係止溝２４と係止凸条２０との係止によって切欠部２１が開いてしまうことを防止しているので、切欠部２１に配置される内部構造部品の姿勢の安定性や対衝撃強度を確保することができ、したがって内部構造部品等の変形や破損を防止することができると共に、各種ピンと溝との係合が外れてしまうといった不都合も防止することができる。
【００４９】
（第２の実施形態）
次に、本発明の第２の実施形態としてのレンズ鏡筒およびこれを備える交換レンズ（光学機器）について説明する。
本実施形態の交換レンズも、前記第１の実施形態の交換レンズ１と同様に、複数のレンズ群が光軸方向に並んで配置されたレンズ鏡筒を備えており、このレンズ鏡筒内に配置された複数のレンズ群によって、インナーフォーカス式のズームレンズが構成されている。
【００５０】
図６は、本実施形態のレンズ鏡筒の要部分解斜視図であり、符号３０は円筒状の固定枠、３１は固定枠３０に外挿する円筒状のカム枠、３２は固定枠３０に内挿する円筒状の移動枠である。なお、本実施形態では、前記第１の実施形態と異なり、単一のカム枠３１によって本発明に係るカム枠が形成されており、単一の移動枠３２によって本発明に係る移動枠が形成されている。また、図６に示していないものの、本実施形態のレンズ鏡筒においても、図３に示したレンズ枠９が移動枠３２内に配置されるようになっている。
【００５１】
本実施形態のレンズ鏡筒が前記第１の実施形態のレンズ鏡筒２と主に異なるところは、移動枠３２が単一の部材によって形成されているため、この移動枠３２に形成した第１係止部、すなわち後述する係止溝３３が、固定枠３０に形成された係止凸条３４に係止するように構成されている点である。
【００５２】
すなわち、本実施形態のレンズ鏡筒において、移動枠３２は、図１、図３に示した第４レンズ群移動枠７に近い構成を有した円筒状のもので、第４レンズ群移動枠７と同様に周壁の一方の側に円環部３２ａを有し、この円環部７ａの内周部に円筒状の内筒部３２ｂを有している。そして、この内筒部３２ｂ内にレンズ群（レンズ枠９）が保持されることにより、保持されたレンズ群は、移動枠３２が直進（進退）することによって光軸Ｃ方向に直進（進退）するようになっている。
【００５３】
この移動枠３２には、その周壁に切欠部３５が形成されている。切欠部３５は、移動枠３２の周壁が光軸Ｃ方向に沿って長さ方向全体に切り欠かれて形成されたもので、このような切欠部３５によって移動枠３２は、その周壁が側面視Ｃ状に形成されている。この切欠部３５は、前記第１の実施形態における第１の枠８の切欠部２１と同様に、周壁の長さ方向全体が切り欠かれていることで、その内部に図３に示したレンズ枠９の手振れ補正ユニット２５（内部構造部品）を収容配置することが可能となっている。
【００５４】
移動枠３２の周壁には、その外周面における切欠部３５の両側に、それぞれ係止溝（第１係止部）３３が光軸Ｃ方向に沿って形成されている。また、固定枠３０には、図７に示すように周壁の一方の側に形成された円環部３０ａの内面と周壁の内面との間に、一対の係止凸条（第２係止部）３４が光軸Ｃ方向に沿って形成されている。これら係止凸条２０は、移動枠３２の係止溝３３に係止するように配設されている。このように切欠部３５の両側の係止溝３３にそれぞれ係止凸条３４が係止することにより、前記第１の実施形態と同様に、切欠部３５が不測の力によって開いてしまうことが防止される。
【００５５】
また、図６に示すように移動枠３２には、その円環部３２ａに、周壁の外周面より外側に突出してピン３６が３つ、光軸Ｃ回りの周方向に略３等分する角度位置にそれぞれ配設されている。これらピン３６は、カム枠３１のカム溝３７に移動可能に係合すると共に、固定枠３０の直進ガイド溝３８に移動可能に係合する。なお、これらカム溝３７、直進ガイド溝３８も、それぞれ光軸Ｃ回りの周方向に略３等分する角度位置にそれぞれ配設されている。
【００５６】
このような構成によって本実施形態のレンズ鏡筒は、前記第１の実施形態のレンズ鏡筒２と同様にカム枠３１が回動すると、移動枠３２がカム枠３１の回動に連動して光軸Ｃに沿って進退するようになっている。すなわち、カム枠３１を回動すると、移動枠３２内に配置されたレンズ枠９が移動枠３２と共に固定枠３０に対して直進移動することにより、レンズ枠９に保持されたレンズ群が直進移動するようになっている。
【００５７】
本実施形態のレンズ鏡筒にあっては、移動枠３２の周壁に、光軸Ｃ方向に沿って長さ方向全体が切り欠かれてなる切欠部３５を形成して移動枠３２の周壁を側面視Ｃ状に形成しているので、切欠部３５に内部構造部品である手振れ補正ユニット２５を収容配置することができ、したがって移動枠３２の厚さに相当する分、全体の径を小さくすることができる。よって、このレンズ鏡筒によれば、内部構造部品の収容スペースを実質的に広くして省スペース化を可能にしたので、全体の小型化を図ることができる。
【００５８】
また、移動枠３２が切欠部３５の両側に係止溝３３を有し、固定枠３０が係止溝３３に係止する係止凸条３４を有しているので、これら係止溝３３と係止凸条３４との係止によって切欠部３５が開いてしまうことを防止することができる。したがって、切欠部３５に配置される手振れ補正ユニット２５の姿勢の安定性や、不測に落下させた際などの対衝撃強度を確保することができ、手振れ補正ユニット２５の変形や破損を防止することができると共に、各種ピンと溝との係合が外れてしまうといった不都合も防止することができる。
【００５９】
また、このようなレンズ鏡筒を備えた交換レンズ（光学機器）にあっても、手振れ補正ユニット２５（内部構造部品）の収容スペースを実質的に広くして省スペース化を可能にしたので、全体の小型化を図ることができる。また、係止溝３３と係止凸条３４との係止によって切欠部３５が開いてしまうことを防止しているので、切欠部３５に配置される内部構造部品の姿勢の安定性や対衝撃強度を確保することができ、したがって内部構造部品等の変形や破損を防止することができると共に、各種ピンと溝との係合が外れてしまうといった不都合も防止することができる。
【００６０】
（第３の実施形態）
次に、本発明の第３の実施形態としてのレンズ鏡筒およびこれを備える交換レンズ（光学機器）について説明する。
本実施形態の交換レンズも、前記第１の実施形態の交換レンズ１と同様に、複数のレンズ群が光軸方向に並んで配置されたレンズ鏡筒を備えており、このレンズ鏡筒内に配置された複数のレンズ群によって、インナーフォーカス式のズームレンズが構成されている。
【００６１】
図８は、本発明の第３の実施形態としてのレンズ鏡筒２が備える第５レンズ群移動枠４０を示す斜視図である。図９は、図８に示す第５レンズ群移動枠４０の分解斜視図である。図１０は、図８に示す第５レンズ群移動枠４０の断面図である。また、以下の説明では、前記交換レンズ１及びレンズ鏡筒２と同等の部位については、説明を省略すると共に、図面において同じ符号を付すものとする。
【００６２】
第３の実施形態の交換レンズは、前述した第４レンズ群移動枠７内に配置された第１の枠８及びレンズ枠９からなる第５レンズ群移動枠１０の代わりに、第１の枠４１、第２の枠４２、第３の枠４３及びレンズ枠４４からなる第５レンズ群移動枠４０を備える以外は、前記レンズ鏡筒２を備える交換レンズ１と基本的に同じ構成を有している。したがって、本実施形態では、この第５レンズ群移動枠４０の具体的な構成について説明するものとする。
【００６３】
第５レンズ群移動枠４０は、図８〜図１０に示すように、円筒状の第１の枠４１及び第２の枠４２と、第１の枠４１と第２の枠４２との間に一対の支軸４５ａ，４５ｂを介して保持される円環状の第３の枠４３と、第２の枠４２の背面側（後面側）に配設される円筒状のレンズ枠４４とを有している。第５レンズ群移動枠４０は、図示を省略するものの、前述した第４レンズ群移動枠７内に配置されている。
【００６４】
第１の枠４１は、その周壁に光軸Ｃ方向に沿って長さ方向全体が切り欠かれてなる切欠部４６が形成されたことで、該周壁が側面視Ｃ状に形成されている。また、第１の枠４１には、その周壁に前記第１ピン１７が３つ、光軸Ｃ回りの周方向に略３等分する角度位置にそれぞれ配設されている。これら第１ピン１７は、図示を省略するものの、前述した第４レンズ群移動枠７の移動枠直進ガイド溝１９と、第２カム枠６のカム枠カム溝１６との両方に移動可能に係合している。
【００６５】
また、切欠部４６の両側には、それぞれ第１係止部４７が設けられている。これら一対の第１係止部４７は、切欠部４６を形成する両側の端面において、それぞれ光軸Ｃ方向に沿った係止溝（溝部）を構成している。
【００６６】
第２の枠４２は、交換レンズ１の背面（後面）側に形成された円環部４２ａと、この円環部４２ａの正面（前面）側に形成された円筒部４２ｂとを有している。また、第２の枠４２は、切欠部４６の内側に配置される第２枠片４８を有している。第２枠片４８は、円筒部４２ｂの一部からなり、切欠部４６の形状に合わせて、正面（前面）側に突出して設けられている。
【００６７】
また、第２枠片４８の先端には、半径方向の内側に向かって突出された一方の突出片４８ａが設けられている。さらに、円筒部４２ｂの第２枠片４８と相対する位置には、半径方向の内側に向かって突出された他方の突出片４８ｂが設けられている。
【００６８】
突出片４８ａ，４８には、それぞれの支軸４５ａ，４５ｂが挿入される軸孔４９ａ，４９ｂが設けられている。また、円環部４２ａには、これら軸孔４９ａ，４９ｂと対向する位置に、軸孔（図示せず。）が設けられている。支軸４５ａ，４５ｂは、これらの軸孔４９ａ，４９ｂに両端部が挿入されることによって、突出片４８ａ，４８ｂと円環部４２ａとの間で光軸Ｃ方向に平行な状態で支持されている。
【００６９】
第２の枠４２は、切欠部４６の内側に第２枠片４８が配置された状態で、その周壁に形成された連結孔２３に第１の枠４１の周壁に配設された連結ピン２２が挿通されることにより、第１の枠８と一体化されている。
【００７０】
第３の枠４３は、切欠部４６の内側に配置される第１枠片５０を有している。第１枠片５０は、切欠部４６の形状に合わせて、第３の枠４３の外周部から正面（前面）側に突出して設けられている。前記第２枠片４８は、この第１枠片５０の外周面に重ね合わされた状態で、切欠部４６の内側に配置されている。
【００７１】
第３の枠４３は、前記一対の第１係止部（係止溝）４７に係止する一対の第２係止部５１を有している。一対の第２係止部５１は、第１枠片５０の両側の端面において、それぞれ光軸Ｃ方向に沿った係止凸条を構成している。
【００７２】
第５レンズ群移動枠４０では、図１１及び図１２に示すように、切欠部３５の両側の第１係止部（係止溝）４７に、それぞれ第１枠片５０の両側の第２係止部（係止凸条）５１が係止する。また、第５レンズ群移動枠４０では、第１係止部（係止溝）４７内で第２係止部（係止凸条）５１が光軸Ｃ方向にスライド可能となっている。なお、図１１は、第１係止部（係止溝）４７と第２係止部（係止凸条）５１との係止状態を示す斜視図である。また、図１２は、図１０に示す第５レンズ群移動枠４０の要部を拡大した断面図である。
【００７３】
第３の枠４３は、図８〜図１２に示すように、一対の支軸４５ａ，４５ｂが係合される一対の係合部５２ａ，５２ｂを有している。一対の係合部５２ａ，５２ｂのうち、一方の係合部５２ａは、第１枠片５０の外周面において、光軸Ｃ方向に沿った係合溝（溝部）を構成している。一方の支軸４５ａは、この一方の係合部（係合溝）５２ａと第２枠片４８との間に係合されている。
【００７４】
他方の係合部５２ｂは、一方の係合部５２ａとは相対する第３の枠４３の外周部において、光軸Ｃ方向に沿った係合溝（溝部）を構成している。他方の支軸４５ｂは、この他方の係合部（係合溝）５２ｂの間に係合されている。
【００７５】
これにより、第３の枠４３は、第５レンズ群Ｇ５を構成する一部のレンズ（図示せず。）を保持した状態で、第１の枠４１と第２の枠４２との間で一対の支軸４５ａ，４５ｂを介して光軸Ｃ方向に移動可能に支持されている。
【００７６】
また、第３の枠４３は、モータ５３の駆動により前後方向に直進駆動される。モータ５３は、第２の枠４２にビス５４を用いて取り付けられている。また、モータ５３は、第１の枠４１、第２の枠４２及び第３の枠４３に設けられた切欠部５５ａ，５５ｂ，５５ｃの内側に収容配置されている。第３の枠４３は、モータ５３により回転駆動されるリードスクリューとナット部を介して係合されている。これにより、第３の枠４３を前後方向に直進駆動することが可能となっている。
【００７７】
レンズ枠４４は、図８及び図９に示すように、第５レンズ群Ｇ５を構成する残りのレンズ（図示せず。）を保持した状態で、第２の枠４２の背面側（後面側）から第２の枠４２の内側に嵌め込まれた状態で、第２の枠４２と一体化されている。このような構成のもとに、第１の枠４１、第２の枠４２、第３の枠４３及びレンズ枠４４によって第５レンズ群移動枠４０が形成されている。したがって、第５レンズ群移動枠４０が光軸Ｃ方向に直進（進退）することにより、第５レンズ群Ｇ５も光軸Ｃ方向に直進（進退）するようになっている。
【００７８】
本実施形態では、第５レンズ群移動枠４０を構成する第１の枠４１の周壁に、長さ方向全体が切り欠かれてなる切欠部４６を有して第１の枠４１の周壁を側面視Ｃ状に形成しているので、切欠部４６の内側に収容スペースを確保することができる。したがって、例えば第１の枠４１の周壁の厚さに相当する分、全体の径を小さくすることができる。
【００７９】
また、第１の枠４１は切欠部４６の両側に第１係止部（係止溝）４７を有し、第３の枠４３は第１係止部４７に係止する第２係止部（係止凸条）５１を有しているので、これら第１係止部４７と第２係止部５１との係止によって、切欠部４６が不測の力によって窄まってしまうことが防止される。
【００８０】
すなわち、交換レンズ１を不測に落下して衝撃が加わった際などにも、第１係止部（係止溝）４７に第２係止部（係止凸条）５１が係止していることにより、切欠部４６が窄まってしまうことがなく、各種ピンと溝との係合が外れてしまうといった不都合が防止される。したがって、切欠部４６に配置される内部構造部品の姿勢の安定性や対衝撃強度を確保することができる。
【００８１】
また、本実施形態の第５レンズ群移動枠４０において、第３の枠４３は、切欠部４６の内側に配置される第１枠片５０を有し、一対の係合部５２ａ，５２ｂのうち一方の係合部５２ａは、第１枠片５０に配置されている。この構成の場合、切欠部４６の内側に一方の係合部５２ａを配置することができ、全体の径が大きくなることを防ぐことができる。
【００８２】
さらに、第２の枠４２は、第１枠片５０の外周面に重ね合わされた状態で、切欠部４６の内側に配置される第２枠片４８を有し、一方の係合部５２ａは、第１枠片５０の外周面に形成された係合溝（溝部）であり、一方の支軸４５ａは、この係合溝と第２枠片４８との間に係合されている。この構成の場合、第１枠片５０に支軸４５ａを支持する軸孔を設けなくても、第１枠片の外周面に形成された係合溝と第２枠片４８との間に係合された一方の支軸４５ａを安定した状態で支持することができる。また、全体の径が大きくなることを防ぐことができる。
【００８３】
以上、図面を参照して本発明の好適な実施形態について説明したが、本発明は前記実施形態に限定されるものではない。前述した実施形態において示した各構成部材の諸形状や組み合わせ等は一例であって、本発明の主旨から逸脱しない範囲において設計要求等に基づき種々変更可能である。
【００８４】
例えば、前記実施形態では、各種のピンとこれに係合する溝とをそれぞれ３個ずつ形成し、これらを光軸Ｃ回りの円周方向を略３等分する角度位置に配置したが、これらピンや溝を例えば２個または４個以上形成してもよい。このように３個以外にした場合でも、これらピンや溝については、光軸Ｃ回りの円周方向をこれらの個数で等分する角度位置に配置するのが好ましい。
【００８５】
また、前記実施形態では、第１係止部を係止溝とし、第２係止部を係止凸条としたが、これらを逆にして第１係止部を係止凸条とし、第２係止部を係止溝としてもよい。さらに、これら第１係止部、第２係止部については、互いに係止する構造であれば、係止溝と係止凸条に限ることなく、例えば係止凹部と係止凸部など種々の係止構造を採用することができる。
また、前記実施形態では、第１カム枠４やカム枠３１を固定枠５（３０）の外側に配置したが、例えば固定枠５（３０）の内側に第１カム枠４やカム枠３１を配置する構成としてもよい。
【符号の説明】
【００８６】
１…交換レンズ（光学機器）、２…レンズ鏡筒、４…第１カム枠（カム枠）、５…固定枠、６…第２カム枠（カム枠）、７…第４レンズ群移動枠（第２の枠）、８…第１の枠、２０…係止凸条（第２係止部）、２１…切欠部、２４…係止溝（第１係止部）、３０…固定枠、３１…カム枠、３２…移動枠、３３…係止溝（第１係止部）、３４…係止凸条（第２係止部）、３５…切欠部  ４０…第５レンズ群移動枠（移動枠）、４１…第１の枠、４２…第２の枠、４３…第３の枠、４４…レンズ枠、４５ａ，４５ｂ…支軸、４６…切欠部、４７…第１係止部（係止溝）、４８…第２枠片、５０…第１枠片、５１…第２係止部（係止凸条）、５２ａ…一方の係合部（係合溝）  ５２ｂ…他方の係合部
【図１】
2016200791.tif 000003
【図２】
2016200791.tif 000004
【図３】
2016200791.tif 000005
【図４】
2016200791.tif 000006
【図５】
2016200791.tif 000007
【図６】
2016200791.tif 000008
【図７】
2016200791.tif 000009
【図８】
2016200791.tif 000010
【図９】
2016200791.tif 000011
【図１０】
2016200791.tif 000012
【図１１】
2016200791.tif 000013
【図１２】
2016200791.tif 000014